【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
調整可能なヒータ装置であって、
長手方向の長さに沿って伸張し、複数のヒータマットセグメントを備えるヒータマットであって、前記ヒータマットセグメントの各々が、前記ヒータマットの前記長手方向の長さのそれぞれの箇所に沿って伸張し、前記ヒータマットセグメントの各々が、セグメントヒータ素子を備え、それぞれの前記セグメントヒータ素子が、それぞれの調整可能な間隔で、互いに長手方向に切り離された、ヒータマットと、
前記ヒータマットセグメントの各々の少なくとも一箇所と並列に伸長する前記セグメントヒータ素子間の全ての前記調整可能な間隔に及ぶ第一電導体及び第二電導体を備える電源バスであって、前記それぞれのセグメントヒータ素子の各々が、前記それぞれのセグメントヒータ素子を備える前記それぞれのヒータマットセグメントと並列関係にある前記電源バスのそれぞれのセグメント接続位置で、前記第一及び第二電導体と電気接続し、
複数の前記ヒータマットセグメントの内の任意の二つのヒータマットセグメントが、この二つのヒータマットセグメントの前記セグメントヒータ素子の間で、前記二つのヒータマットセグメントの内の少なくとも一つの前記セグメントヒータ素子と前記電源バスにおける前記第一及び第二電導体との電気的な接続に影響を与えない方法で、前記調整可能な間隔で互いに切り離し可能である電源バスと、
前記ヒータマット及び前記電源バスを被覆する変位可能なカバーシートであって、前記ヒータマットセグメントの一つを他の前記ヒータマットセグメントから切り離して前記電源バスの露出した端部の切り取りを収納するために前記調整可能な間隔で前記電源バスを露出させるように変位可能であって、前記電源バスの切り取られた端部を被覆して電気的に絶縁させるように前記電源バスの上で交換可能であるカバーシートと、
を備える、調整可能なヒータ装置。
【請求項２】
前記調整可能な間隔の各々にて、前記ヒータマットの表面にヒータマットセグメント境界印を備え、前記ヒータマットセグメント境界印が前記調整可能な間隔で前記ヒータマット上に切り離し可能な位置を示す、請求項１に記載の調整可能なヒータ装置。
【請求項３】
前記電源バスの前記それぞれのセグメント接続位置の間における、前記電源バスの上にバストリム位置印を備える、請求項２に記載の調整可能なヒータ装置。
【請求項４】
各々のヒータマットセグメントの前記バストリム位置印が、対応するヒータマットセグメントの前記ヒータマットセグメント境界印から長手方向に変位した、請求項３に記載の調整可能なヒータ装置。
【請求項５】
前記カバーシートは前記ヒータマットセグメントから剥離可能であり、この剥離により前記ヒータマットセグメント境界印を露出させる、請求項２に記載の調整可能なヒータ装置。
【請求項６】
前記カバーシートは前記電源バスから剥離可能であり、この剥離により前記バストリム位置印を露出させる、請求項３に記載の調整可能なヒータ装置。
【請求項７】
前記ヒータマットが、前記ヒータマットと前記カバーシートとの間に配置された断熱層を備える、請求項１に記載の調整可能なヒータ装置。
【請求項８】
前記ヒータマットが、前記ヒータマットと前記カバーシートとの間に配置された断熱層を備え、前記ヒータマットセグメント境界印が、前記断熱層の外表面上にある、請求項５に記載の調整可能なヒータ装置。
【請求項９】
前記電源バスが、前記断熱層と前記カバーシートとの間に配置された、請求項８に記載の調整可能なヒータ装置。
【請求項１０】
前記電源バスが、前記セグメントヒータ素子と前記断熱層との間に配置された、請求項８に記載の調整可能なヒータ装置。
【請求項１１】
前記ヒータマットが、前記セグメントヒータ素子が上に配置されたヒータ基板を備える、請求項１に記載の調整可能なヒータ装置。
【請求項１２】
前記セグメントヒータ素子が、前記ヒータ基板とヒータスーパーストレートとの間に挟まれた、請求項１１に記載の調整可能なヒータ装置。
【請求項１３】
前記断熱層が、前記ヒータスーパーストレートと前記カバーシートとの間に配置された請求項８に記載の調整可能なヒータ装置。
【請求項１４】
前記ヒータ基板が、薄膜誘電体材料を備える、請求項１１に記載の調整可能なヒータ装置。
【請求項１５】
前記セグメントヒータ素子が、ヒータ基板シート上に配された、請求項１に記載の調整可能なヒータ装置。
【請求項１６】
前記電源バスの前記第一及び第二電導体が、前記ヒータ基板シート上の前記セグメントヒータ素子の上に配される間隙分離層に配された、請求項１５に記載の調整可能なヒータ装置。
【請求項１７】
前記電源バスの前記第一及び第二電導体が、前記セグメントヒータ素子と共に、前記基板シート上に配された、請求項１に記載の調整可能なヒータ装置。
【請求項１８】
ヒータ装置を構成する方法であって、
複数のヒータマットセグメントの各々はセグメントヒータ素子を有するとともに、前記複数のヒータマットセグメントの各々は、それぞれの前記セグメントヒータ素子の間に調整可能な間隙があるように、ヒータマットとして一緒に組み立てられて、
前記セグメントヒータ素子が配されるそれぞれの前記ヒータマットセグメントと並列関係にある電源バスのそれぞれのセグメント接続位置で、前記電源バスの第一及び第二電導体に、前記セグメントヒータ素子の各々を一つずつ、電気的に平行な関係で接続し、
そして、複数のヒータマットセグメントの内の任意の二つが、この二つのヒータマットセグメントの内の少なくとも一つの前記セグメントヒータ素子と前記電源バスにおける前記第一及び第二電導体との電気的な接続に影響を与えない方法で、互いに切り離し可能である切り離し可能位置を示すヒータマットセグメント境界印のそれぞれを前記ヒータマットの表面に、それぞれの前記調整可能な間隔で設けて、
前記調整可能な間隔で前記電源バスを露出させるように変位可能なカバーシートで、前記電源バスが前記バストリム位置印で切り離された後に前記電源バスの切り離された端部を電気的に絶縁させるために前記電源バスの上で交換可能であるように前記ヒータマットセグメント境界印及び前記バストリム位置印を露出させるカバーシートを前記ヒータマット及び前記電源バスの上に配すること、を含む、方法。
【請求項１９】
それぞれの前記ヒータマットセグメントから切り離し可能である並列のヒータマットセグメントの電気接続に影響を与えないように、前記電源バスをそれぞれのヒータマットセグメントに沿って切り離すことができる切り離し可能バス位置を示す、それぞれのバストリム境界印を、前記電源バスの各々のセグメント接続位置の間の前記電源バス上に、設けること、を含む、請求項１８に記載の方法。
【請求項２０】
それぞれのヒータマットセグメントの前記バストリム位置印を、前記それぞれのヒータマットセグメント境界印に対して長手方向に変位した位置に配置すること、を含む、請求項１９に記載の方法。
【請求項２１】
前記セグメントヒータ素子と前記電源バスとの間に断熱層を配すること、を含む、請求項２０に記載の方法。
【請求項２２】
前記セグメントヒータ素子と並列に前記電源バスを配すること、および前記電源バスと前記変位可能なカバーシートとの間に断熱層を配すること、を含む、請求項２０に記載の方法。
【請求項２３】
薄膜誘電体材料上に前記複数のセグメントヒータ素子を配すること、を含む、請求項１８に記載の方法。
【請求項２４】
前記薄膜誘電体材料のシート上に、追加のセグメントヒータ素子と共に前記複数のセグメントヒータ素子を形成すること、を含む、請求項２３に記載の方法。
【請求項２５】
前記薄膜誘電体材料のシートの一部を、追加のセグメントヒータ素子がその上に形成される前記薄膜誘電体材料のシートの他の部分から切り離すために、前記複数のセグメントヒータ素子がその上に形成される前記薄膜誘電体材料のシートの前記一部を切断すること、を含む、請求項２４に記載の方法。
【請求項２６】
加熱対象物体上にヒータマットを備え付ける方法であって、
前記加熱対象物体の長さを決めること、
前記加熱対象物体の長さに及ぶために必要となる前記ヒータマットのセグメントの数を決めること、
前記加熱対象物体の長さに及ぶために必要とされる前記ヒータマットのセグメントのセグメントヒータ素子と電源バスとの電気接続に影響を与えることなく、前記ヒータマットが前記加熱対象物体の長さに及ぶために必要とされない前記ヒータマットのセグメントを、前記加熱対象物体の長さに及ぶために必要とされる前記ヒータマットの他のセグメントから切り離し可能である、前記ヒータマット上の位置を示す特定の表示部を前記ヒータマットの表面に配置すること、
そして、前記特定の表示部で、前記加熱対象物体の長さに及ぶために必要とされない前記ヒータマットのセグメントを、前記加熱対象物体の長さに及ぶために必要とされる前記ヒータマットのセグメントから切り離すこと、を含む、方法。
【請求項２７】
前記加熱対象物体の長さに及ぶために必要とされる前記ヒータマットのセグメントの前記セグメントヒータ素子と前記電源バスとの電気接続に影響を与えない位置で、前記電源バスを切り離すこと、を含む、請求項２６に記載の方法。
【請求項２８】
前記特定の表示部を十分に露出させて、この露出によって、前記加熱対象物体の長さに及ぶために必要とされる前記ヒータマットのセグメントから、前記加熱対象物体の長さに及ぶために必要とされない前記ヒータマットのセグメントを、前記特定の表示部で容易に切断するように、前記ヒータマット及び前記電源バスを被覆するカバーシートを変位させること、を含む、請求項２７に記載の方法。
【請求項２９】
前記加熱対象物体の長さに及ぶために必要とされない前記ヒータマットのセグメントを、前記加熱対象物体の長さに及ぶために必要とされる前記ヒータマットのセグメントから切り離した後、前記加熱対象物体の長さに及ぶために必要とされる前記ヒータマットのセグメント上の前記カバーシートを取り換えること、を含む、請求項２８に記載の方法。
【請求項３０】
２つの調整可能な間隔の間で前記ヒータマットセグメントの１つに隣接する位置で、前記電源バスの前記第一電導体と前記第二電導体の各々に電気接続された第一コードワイヤと第二コードワイヤを有する電源コードを備える請求項１に記載の調整可能なヒータ装置。
【請求項３１】
前記第一電導体に接続されて前記第一電導体から側方に延びる第一突起と、前記第二電導体に接続されて前記第二電導体から側方に延びる第二突起と、を前記２つの調整可能な間隔の間で前記ヒータマットセグメントの１つに隣接する位置で並列にお互いに離間して備えるとともに、前記第一及び第二コードワイヤが第一及び第二突起ソケットの各々に電気接続されて、前記第一突起が前記第一突起ソケットの内部に突出し、前記第二突起が前記第二突起ソケットの内部に突出して、前記電源コードが前記ヒータマットセグメントから側方に延びるように前記電源バスの前記第一及び第二電導体に対して前記電源コードの前記第一及び第二コードワイヤがそれぞれ電気接続される請求項３０に記載の調整可能なヒータ装置。
【請求項３２】
それぞれのセグメントヒータ素子が自己剥離タップコネクタにより前記第一及び第二電導体に電気接続される請求項１に記載の調整可能なヒータ装置。
【請求項３３】
加熱対象物体上にヒータマットを備え付ける方法であって、
前記加熱対象物体の長さに及ぶために必要となる前記ヒータマットのセグメントの数を決めること、
前記加熱対象物体の長さに及ぶために必要とされる前記ヒータマットのセグメントのセグメントヒータ素子と電源バスとの電気接続に影響を与えることなく、前記ヒータマットが前記加熱対象物体の長さに及ぶために必要とされない前記ヒータマットのセグメントを、前記加熱対象物体の長さに及ぶために必要とされる前記ヒータマットの他のセグメントから切り離し可能である、特定の表示部を前記ヒータマットに配置すること、
前記特定の表示部で、必要とされる前記ヒータマットのセグメントの前記セグメントヒータ素子と前記電源バスとの電気接続に影響を与えない位置で、前記電源バスを切り離すことを含めて、必要とされない前記ヒータマットのセグメントを、必要とされる前記ヒータマットのセグメントから切り離すこと、
必要とされない前記ヒータマットのセグメントを、必要とされる前記ヒータマットのセグメントから切り離す前または後のいずれかで、必要とされる前記ヒータマットのセグメントにおける前記電源バスの少なくとも一部を露出させるために前記電源バスを被覆するカバーシートを十分に変位させること、
必要とされる前記ヒータマットのセグメントにおける前記電源バスの切断された端部を作るために、必要とされる前記ヒータマットのセグメントにおける前記電源バスの長さを追加で切り離して除去することで、前記特定の表示部からの後退距離で前記電源バスを切り取ること、
そして、必要とされる前記ヒータマットのセグメント上の前記カバーシートを交換することによって、前記電源バスの切断された端部を被覆して電気的に絶縁すること、を含む、方法。
【手続補正２】
【補正対象書類名】明細書
【補正対象項目名】０００７
【補正方法】変更
【補正の内容】
【０００７】
一態様において、調整可能な（トリマブル）ヒータ装置は、長手方向の長さに沿って伸張し、複数のヒータマットセグメントを備えるヒータマットであって、前記ヒータマットセグメントの各々が、前記ヒータマットの前記長手方向の長さのそれぞれの箇所に沿って伸張し、前記ヒータマットセグメントの各々が、セグメントヒータ素子を備え、それぞれの前記セグメントヒータ素子が、それぞれの調整可能な間隔で、互いに長手方向に切り離された、ヒータマットと、前記ヒータマットセグメントの各々の少なくとも一箇所と並列に伸長する前記セグメントヒータ素子間の全ての前記調整可能な間隔に及ぶ第一電導体及び第二電導体を備える電源バスであって、前記それぞれのセグメントヒータ素子の各々が、前記それぞれのセグメントヒータ素子を備える前記それぞれのヒータマットセグメントと並列関係にある前記電源バスのそれぞれのセグメント接続位置で、前記第一及び第二電導体と電気接続し、複数の前記ヒータマットセグメントの内の任意の二つのヒータマットセグメントが、この二つのヒータマットセグメントの前記セグメントヒータ素子の間で、前記二つのヒータマットセグメントの内の少なくとも一つの前記セグメントヒータ素子と前記電源バスにおける前記第一及び第二電導体との電気的な接続に影響を与えない方法で、前記調整可能な間隔で互いに切り離し可能である電源バスと、前記ヒータマット及び前記電源バスを被覆する変位可能なカバーシートであって、前記ヒータマットセグメントの一つを他の前記ヒータマットセグメントから切り離して前記電源バスの露出した端部の切り取りを収納するために前記調整可能な間隔で前記電源バスを露出させるように変位可能であって、前記電源バスの切り取られた端部を被覆して電気的に絶縁させるように前記電源バスの上で交換可能であるカバーシートと、を備える、調整可能なヒータ装置である。
【手続補正３】
【補正対象書類名】明細書
【補正対象項目名】００１０
【補正方法】変更
【補正の内容】
【００１０】
一実施形態において、各々のヒータマットセグメントのバストリム位置印は、対応するヒータマットセグメントのヒータマットセグメント境界印から長手方向に変位したものである。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
一実施形態において、調整可能なヒータ装置は、ヒータマットセグメントから剥離可能であり、これによりヒータマットセグメント境界印を露出させるカバーシートを備えるものである。
【手続補正６】
【補正対象書類名】明細書
【補正対象項目名】００１３
【補正方法】変更
【補正の内容】
【００１３】
一実施形態において、調整可能なヒータ装置は、電源バスから剥離可能であり、これによりバストリム位置印を露出させるカバーシートを備えるものである。
【手続補正７】
【補正対象書類名】明細書
【補正対象項目名】００２６
【補正方法】変更
【補正の内容】
【００２６】
本発明の別の態様は、ヒータ装置を構成する方法であって、この方法が、複数のヒータマットセグメントの各々はセグメントヒータ素子を有するとともに、前記複数のヒータマットセグメントの各々は、それぞれの前記セグメントヒータ素子の間に調整可能な間隙があるように、ヒータマットとして一緒に組み立てられて、前記セグメントヒータ素子が配されるそれぞれの前記ヒータマットセグメントと並列関係にある電源バスのそれぞれのセグメント接続位置で、前記電源バスの第一及び第二電導体に、前記セグメントヒータ素子の各々を一つずつ、電気的に平行な関係で接続し、そして、複数のヒータマットセグメントの内の任意の二つが、この二つのヒータマットセグメントの内の少なくとも一つの前記セグメントヒータ素子と前記電源バスにおける前記第一及び第二電導体との電気的な接続に影響を与えない方法で、互いに切り離し可能である切り離し可能位置を示すヒータマットセグメント境界印のそれぞれを前記ヒータマットの表面に、それぞれの前記調整可能な間隔で設けて、前記調整可能な間隔で前記電源バスを露出させるように変位可能なカバーシートで、前記電源バスが前記バストリム位置印で切り離された後に前記電源バスの切り離された端部を電気的に絶縁させるために前記電源バスの上で交換可能であるように前記ヒータマットセグメント境界印及び前記バストリム位置印を露出させるカバーシートを前記ヒータマット及び前記電源バスの上に配すること、を含む、方法である。
【手続補正８】
【補正対象書類名】明細書
【補正対象項目名】００３４
【補正方法】変更
【補正の内容】
【００３４】
別の実施形態において、加熱対象物体上にヒータを備え付ける方法は、前記加熱対象物体の長さを決めること、前記加熱対象物体の長さに及ぶために必要となる前記ヒータマットのセグメントの数を決めること、前記加熱対象物体の長さに及ぶために必要とされる前記ヒータマットのセグメントのセグメントヒータ素子と電源バスとの電気接続に影響を与えることなく、前記ヒータマットが前記加熱対象物体の長さに及ぶために必要とされない前記ヒータマットのセグメントを、前記加熱対象物体の長さに及ぶために必要とされる前記ヒータマットの他のセグメントから切り離し可能である、前記ヒータマット上の位置を示す特定の表示部を前記ヒータマットの表面に配置すること、そして、前記特定の表示部で、前記加熱対象物体の長さに及ぶために必要とされない前記ヒータマットのセグメントを、前記加熱対象物体の長さに及ぶために必要とされる前記ヒータマットのセグメントから切り離すこと、を含む。
【手続補正９】
【補正対象書類名】明細書
【補正対象項目名】００３７
【補正方法】変更
【補正の内容】
【００３７】
別の実施形態において、加熱対象物体の長さに及ぶことが要求されていないヒータマットのセグメントを、加熱対象物体の長さに及ぶことが要求されているヒータマットのセグメントから切り離した後、加熱対象物体の長さに及ぶことが要求されているヒータマットのセグメント上のカバーシートを取り換える。
また、本発明の別の態様は、加熱対象物体上にヒータマットを備え付ける方法であって、前記加熱対象物体の長さに及ぶために必要となる前記ヒータマットのセグメントの数を決めること、前記加熱対象物体の長さに及ぶために必要とされる前記ヒータマットのセグメントのセグメントヒータ素子と電源バスとの電気接続に影響を与えることなく、前記ヒータマットが前記加熱対象物体の長さに及ぶために必要とされない前記ヒータマットのセグメントを、前記加熱対象物体の長さに及ぶために必要とされる前記ヒータマットの他のセグメントから切り離し可能である、特定の表示部を前記ヒータマットに配置すること、前記特定の表示部で、必要とされる前記ヒータマットのセグメントの前記セグメントヒータ素子と前記電源バスとの電気接続に影響を与えない位置で、前記電源バスを切り離すことを含めて、必要とされない前記ヒータマットのセグメントを、必要とされる前記ヒータマットのセグメントから切り離すこと、必要とされない前記ヒータマットのセグメントを、必要とされる前記ヒータマットのセグメントから切り離す前または後のいずれかで、必要とされる前記ヒータマットのセグメントにおける前記電源バスの少なくとも一部を露出させるために前記電源バスを被覆するカバーシートを十分に変位させること、必要とされる前記ヒータマットのセグメントにおける前記電源バスの切断された端部を作るために、必要とされる前記ヒータマットのセグメントにおける前記電源バスの長さを追加で切り離して除去することで、前記特定の表示部からの後退距離で前記電源バスを切り取ること、そして、必要とされる前記ヒータマットのセグメント上の前記カバーシートを交換することによって、前記電源バスの切断された端部を被覆して電気的に絶縁すること、を含む、方法である。
【手続補正１０】
【補正対象書類名】明細書
【補正対象項目名】００４２
【補正方法】変更
【補正の内容】
【００４２】
図１で例示された調整可能なヒータ装置１０は、仮想線が示すパイプＰのような加熱対象に取付けられている。図１及び２が示すように、例となる調整可能なヒータ装置１０は、ヒータマットセグメント境界印、例えば、マーク１２、１４、１６，１８を有する。これらのマークは、調整可能なヒータ装置１０が、例えばヒータ装置セグメント２０、２２、２４、２６、２８である調整可能なヒータ装置１０のセグメントの一つ以上を、ヒータ装置セグメント２０、２２、２４、２６、２８のセグメントの他のもの一つ以上から、例えば、図１２に示すように、残りのヒータ装置セグメントにおける個々のセグメントヒータ素子（後で記載）と、例えば電源コード５８又は電源バス５２（例えば電導体５４、５６）のような電源接続装置との電気接続に影響を及ぼすことはなく、切断又は切り離し可能な、調整可能なヒータ装置１０上の位置を示す。本明細書では、電源コード５８を有するヒータ装置セグメントを、第一ヒータ装置セグメントと称し、他のヒータ装置セグメントを、第二ヒータ装置セグメント又は調整可能なヒータ装置セグメントと称することがある。例となる調整可能なヒータ装置１０において、中央のヒータ装置セグメント２４は、電源コード５８を有する第一ヒータ装置セグメントであり、例となる調整可能なヒータ装置１０の他のヒータ装置セグメント２０、２２、２６、２８は、電源コード５８の無い第二ヒータ装置セグメント又は調整可能なヒータ装置セグメントである。しかし、ヒータ装置セグメント２０、２２、２４、２６、２８のうちのいずれも電源コード５８を有して第一ヒータ装置セグメントとなることができ、他のセグメントは第二ヒータ装置セグメント又は調整可能なヒータ装置セグメントとなる。また、図１及び２で例示された調整可能なヒータ装置１０は、５個の調整可能な又は切断可能なヒータ装置セグメント２０、２２、２４、２６、２８を有しているが、このような調整可能なヒータ装置１０は、任意の数の、任意の所望の長さの調整可能な又は切断可能なヒータ装置セグメントにより製造してもよい。
【手続補正１１】
【補正対象書類名】明細書
【補正対象項目名】００６０
【補正方法】変更
【補正の内容】
【００６０】
図１５−図１７に、代替例の実施形態の調整可能なヒータ装置２００を示す。電源バス２５２は、ヒータマット３０の代わりに、断熱層２７０に取付けられている。従って、ループ端部１１４、１１６と電導体２５４、２５６とを接続するこの断熱層の厚さを増すことで、より長尺な第一及び第二ブラケットコネクタ２１８、２２０を有する、長尺な自己剥離タップコネクタ２６６に、長尺なボトムコンタクト２２２、２２４を配することができる。他に、図１６、図１７で例示された長尺な自己剥離タップコネクタ２６６は、リブ７８が不要となる点を除き、図５、図７、図１０、図１１及び上記で説明された自己剥離タップコネクタ６０、６２、６４、６６、６８とほぼ同様である。
【手続補正１２】
【補正対象書類名】明細書
【補正対象項目名】００６１
【補正方法】変更
【補正の内容】
【００６１】
図１８−図２２が示す、代替例のヒータマット３００は、第一電導体３０４と第二電導体３０６とを有する電源バス３０２を備え、これらの電導体は、ヒータマット３００の一体化部分として形成されている。図１９、図２０、図２１に良く示されているように、ヒータマットセグメント３２０、３２２、３２４、３２６、３２８のそれぞれのセグメントヒータ素子３１０、３１２、３１４、３１６、３１８は、図１〜図１１で例示された調整可能なヒータ装置１０のセグメントヒータ素子４２、４４、４６、４８、５０について上記されているように、ヒータ基板シート３３０上に設置されている。また、図１〜図１１で例示された調整可能なヒータ装置１０について上記されているように、セグメントヒータ素子３１０、３１２、３１４、３１６、３１８及びヒータ基板シート３３０には同種の材料を使用可能である。図１〜図１１で例示された調整可能なヒータ装置１０のセグメントヒータ素子４２、４４、４６、４８、５０及びヒータ基板シート１１０と、これらのセグメントヒータ素子３１０、３１２、３１４、３１６、３１８及びヒータ基板シート３３０の機能は、基本的に同じである。
【手続補正１３】
【補正対象書類名】図面
【補正対象項目名】図５
【補正方法】変更
【補正の内容】
【図５】
2018520484.tif 000001
【手続補正１４】
【補正対象書類名】図面
【補正対象項目名】図１５
【補正方法】変更
【補正の内容】
【図１５】
2018520484.tif 000002